(57)【要約】【課題】  人力であっても十分な張力で索体を締め付けることができると共に、一定の張力をかけた状態を容易に確認して必要十分な張力で締め付けることができるラッシング装置およびラッシング方法を提供する。【解決手段】  索体２を巻き取る巻取軸３と、この巻取軸３の回転方向を巻き取り方向Ｒに規制可能に構成された第１の回転規制機構５と、巻取軸３を中心に揺動自在に取り付けられた揺動レバー６と、この揺動レバー６と巻取軸３の間に介在して巻き取り方向Ｒの回転力のみを伝達する第２の回転規制機構７と、揺動レバー６から巻取軸２に所定の回転力が加えられたことを確認可能となるように設定するトルク設定部８とを備える。【選択図】図１
2017026120.tif 000002
【特許請求の範囲】
【請求項１】
索体を巻き取る巻取軸と、
この巻取軸の回転方向を巻き取り方向に規制可能に構成された第１の回転規制機構と、
巻取軸を中心に揺動自在に取り付けられた揺動レバーと、
この揺動レバーと巻取軸の間に介在して巻き取り方向の回転力のみを伝達する第２の回転規制機構と、
揺動レバーから巻取軸に所定の回転力が加えられたことを確認可能となるように設定するトルク設定部とを備えることを特徴とするラッシング装置。
【請求項２】
前記トルク設定部は回転力が所定値以上になった場合に音による通知を行う発音素子を有する発音通知手段を備える請求項１に記載のラッシング装置。
【請求項３】
前記トルク設定部は回転力が所定値以上になった場合に表示による通知を行う表示素子を有する表示通知手段を備える請求項１または請求項２に記載のラッシング装置。
【請求項４】
前記トルク設定部に所定以上の回転力をかけると空転するトルクリミット機構を備える請求項１〜請求項３の何れかに記載のラッシング装置。
【請求項５】
請求項１〜請求項４のいずれかに記載のラッシング装置を使用して、所望のトルクでラッシング装置の索体を巻き取ることにより、ラッシング対象物を所望の強度で固定することを特徴とするラッシング方法。
【発明の詳細な説明】
【技術分野】
【０００１】
本発明は、ラッシング装置およびラッシング方法に関する。
【背景技術】
【０００２】
トラックの荷台などに搭載された物品の荷崩れを防止するために、鎖、ワイヤ、ロープ、ベルトなどの索体を用いて物品を締め付けることが行われている。とりわけ、繊維を帯状に編成してなるベルトはラッシング対象物となる物品に傷を付けにくく、十分な力で締め付けることができるので、荷崩れを防止するために広く用いられている。また、ベルトに十分な張力をかけるように締め付けるためにラッシング装置を用いることがある。
【０００３】
特許文献１のラッシング装置は、ベルトを巻き取る巻取軸と、この巻取軸を設けた機枠に対して揺動自在に設けた揺動レバーとを有し、揺動レバーの揺動によって巻取軸を一方向に回転させてベルトを巻き取り可能に構成している。したがって、揺動レバーの梃の原理を利用することにより、人力であっても数百ｋN程度の大きな張力をベルトにかけて締め付けることができる。
【先行技術文献】
【特許文献】
【０００４】
【特許文献１】実公平７−４５４３４号公報
【発明の概要】
【発明が解決しようとする課題】
【０００５】
しかしながら、上述の従来のラッシング装置は揺動レバーを操作する人によってかけることができる張力が異なり、一定の張力をかけて締め付けを行うことが困難であった。このため、張力が弱いと締め付けたはずのラッシング対象物の締め付け状態が容易に解けて荷崩れを起こすという可能性があり、張力が強すぎると締め付け力によってラッシング対象物の変形や破損を招く可能性があった。
【０００６】
本発明は上述の事柄を考慮に入れてなされたものであり、人力であっても十分な張力で索体を締め付けることができると共に、一定の張力をかけた状態を容易に確認して必要十分な張力で締め付けることができるラッシング装置およびラッシング方法を提供することを目的とする。
【課題を解決するための手段】
【０００７】
前記課題を解決するため、第１発明は、索体を巻き取る巻取軸と、この巻取軸の回転方向を巻き取り方向に規制可能に構成された第１の回転規制機構と、巻取軸を中心に揺動自在に取り付けられた揺動レバーと、この揺動レバーと巻取軸の間に介在して巻き取り方向の回転力のみを伝達する第２の回転規制機構と、揺動レバーから巻取軸に所定の回転力が加えられたことを確認可能となるように設定するトルク設定部とを備えることを特徴とするラッシング装置を提供する（請求項１）。
【０００８】
本発明のラッシング装置によれば揺動レバーを巻き取り方向に揺動操作することにより、第２の回転規制機構を介して揺動レバーから巻取軸に回転力を伝達させ、索体を巻取軸に巻き取ることができ、索体によってラッシング対象物となる物品の締め付け固定などを行なうことができる。また、トルク設定部によって加えられた回転力が設定された回転力に達しているかどうかを検知できるので、所定の強さの回転力を加えた状態を確認でき、作業者は必要以上に強いトルクで締め付けることがなく、締め付けすぎによる物品の破損を防止しながら、必要十分な力で物品を締め付け固定することができる。
【０００９】
前記巻取軸は物品を締め付ける索体を巻き取るものであり、索体の一例として例えばベルトを巻き取るものである場合には、少なくとも二つ折りにした状態でベルトを通すことができる程度のスリットを備えた金属からなる略円柱形状の軸、または前記スリットを形成するように並べて配置された一対の棒体であり、前記スリットにベルトを通した状態で回転させることにより摩擦によりベルトを巻き取ることができるように構成される。索体がロープ、ワイヤ、鎖である場合には、巻取軸の外周に索体を巻き取る金属からなる略円柱形状の軸である。しかしながら、巻取軸は十分な強度を確保できるのであれば他の材料によって形成されるものであってもよい。
【００１０】
前記第１及び第２の回転規制機構は、例えば巻取軸に一体成型または巻取軸に回り止め嵌合されて外周部に多数の回り止め歯車を形成してなる板状体と、この回り止め歯車に嵌合し、歯車に付勢させた逆転防止爪とを備えるラチェット機構が考えられ、簡素な構成でありながら確実な回転方向の規制を行うことができる。また、第１の回転規制機構と、第２の回転規制機構の板状体を共有することができるので、さらなる構成の簡略化を図ることができる。しかしながら、本発明における回転規制機構はホイール内にラチェット機構を内蔵したフリーホイールや、外輪と内輪の間にだるま形の輪留めが組み込まれた構造を持つプラグ式のワンウェイクラッチや、外輪、内輪、ローラ、スプリングで構成され、外輪の内側または内輪の外側にカム面を持ったポケットが設けられるカム式のワンウェイクラッチなどを用いることにより、巻取り方向の回転にかかる抵抗を小さくするようにしてもよい。
【００１１】
前記揺動レバーは巻取軸を軸受けすると共に開口部を備えるように略Ｕ字状に形成された第１軸受と、この第１軸受の開口部を塞ぐ抜け止め状態および巻取軸から離れた解放状態に切り替えられる略円形の第２軸受とを備えて、前記解放状態において巻取軸に着脱可能に取り付けてあることが考えられる。この場合、索体の締め付け後に揺動レバーを巻取軸から取り外すことにより、ラッシング装置の締め付け状態が保たれるので、前記第１の回転規制機構による規制を解除しない限り締め付け状態を保つことができる。
【００１２】
前記トルク設定部は第２の回転規制機構にかかる回転力によって生じる歪みを測定する歪み検知手段と、歪の測定値から所定の回転力が加えられたことを電気的に検知する検知回路とを備えるものであることが考えられる。この場合、簡単な構成の回路によって電気的に回転力を検知でき、トルク設定部による所定の回転力の設定が容易となる。
【００１３】
前記トルク設定部は第２の回転規制機構と揺動レバーの間に設けて回転力によって撓む弾性体と、撓み量を回転力として表示するトルク表示部とを備えるものであることが考えられる。この場合、極めて単純な構成のトルク表示部によって揺動レバーに加えた回転力の大きさを確認することができる。
【００１４】
前記トルク設定部は回転力が所定値以上になった場合に音による通知を行う発音素子を有する発音通知手段を備える場合（請求項２）には、音によって所定の回転力に達したことを通知するので、作業者は使用時に耳で所定の回転力に達したことを確認でき、これ以上に強い回転力で締め付けることを防止できる。
【００１５】
前記トルク設定部は回転力が所定値以上になった場合に表示による通知を行う表示素子を有する表示通知手段を備える場合（請求項３）には、周囲の騒音ノイズが大きい環境であっても所定の回転力以上で締め付けた確認できるので、これ以上に強い回転力で締め付けることを防止できる。
【００１６】
前記トルク設定部に所定以上の回転力をかけると空転するトルクリミット機構を備える場合（請求項４）には、所定以上の回転力をかけることができないので、必要以上に大きな回転力をかけることによる索体の締めすぎを確実に防止できる。
【００１７】
第２発明は、前記ラッシング装置を使用して、所望のトルクでラッシング装置の索体を巻き取ることにより、ラッシング対象物を所望の強度で固定することを特徴とするラッシング方法を提供する（請求項５）。
【００１８】
前記ラッシング方法によれば、ラッシング対象物を必要十分な強度で確実に締め付けることができる。とりわけ、複数の索体で締め付ける場合に、各索体にかける張力を一定して所望の強度で固定できるので、各索体とラッシング対象物の接触部にかかる荷重も分散させてラッシング対象物の破損を防止できる。
【発明の効果】
【００１９】
前述したように、本発明によれば、索体に必要十分な張力をかけることができる回転力をトルク設定部に設定して揺動レバーによって巻取軸を回転させることにより、巻き取る索体にかける張力の上限を正確に定めることができる。したがって、ちょうど必要な張力で締め付けを行なうことができるので、物品を破損することなく必要十分な力で締め付けることができる。
【図面の簡単な説明】
【００２０】
【図１】本発明の第１実施形態に係るラッシング装置の構成を示す斜視図である。
【図２】前記ラッシング装置の揺動レバーを分離して示す斜視図である。
【図３】前記ラッシング装置の構成および動作を説明する側面図である。
【図４】前記ラッシング装置の構成および動作を説明する別の側面図である。
【図５】前記ラッシング装置のトルク設定部の構成を示す回路図である。
【図６】前記ラッシング装置を用いたラッシング方法を示す図である。
【図７】第２実施形態にかかるラッシング装置の構成を示す側面図である。
【図８】前記ラッシング装置の動作を説明する図である。
【発明を実施するための形態】
【００２１】
以下、図１〜図６を用いて、本発明の第１実施形態にかかるラッシング装置１の構成を説明する。
【００２２】
図１〜図６において、ラッシング装置１は、索体の一例としてのベルト２を巻き取る巻取軸３と、一端側に巻取軸３を回動可能に支持するとともに他端側の固定軸４Ａにベルト２の端部を固定してなるフレーム４と、この巻取軸３の回転方向を巻き取り方向Ｒに規制可能な第１の回転規制機構の一例としての第１のラチェット機構５と、巻取軸３を中心に揺動自在に取り付けられた揺動レバー６と、この揺動レバー６と巻取軸３の間に介在して巻き取り方向Ｒの回転力のみを伝達する第２の回転規制機構の一例としての第２のラチェット機構７と、揺動レバー６から巻取軸３に所定の回転力が加えられたことを検知するトルク設定部８とを備える。
【００２３】
また、９Ａ〜９Ｃは第１のラチェット機構５および第２のラチェット機構７を構成する各部材であり、板状体に形成された歯車９Ａと、この歯車９Ａの歯に係合することにより逆転防止爪となる略Ｕ字状の板状体からなる係合片９Ｂ、９Ｃとを備えるものである。
【００２４】
前記ベルト２は例えば化学繊維を織成してなる帯状体であり、例えば、ベルト２の一端が前記フレーム４の固定軸４Ａに巻き付けた状態で固定的に取り付けられ、ベルト２の他端が巻取軸３に巻き取られることにより、物品を締付け固定するものである。あるいは、２本のベルト２を用いて一方のベルト２の一端を車体などに係合する一方、他端を固定軸４Ａに巻き付けて固定し、他方のベルト２の一端を車体などに係合する一方、他端を前記巻取軸３に巻き取ることにより、物品を車体などに締付け固定するものである。
【００２５】
前記巻取軸３は二つ折りにした状態でベルト２を通すことができる程度の幅Ｓのスリット３Ｃを開けて平行に配置させた一対の棒体３Ａ，３Ｂからなり、このスリット３Ｃに折り畳んだベルト２の端部を通すようにして挿入し、巻取軸３を図示時計回りの巻き取り方向Ｒに回転させることにより、ベルト２同士およびベルト２と巻取軸３の間の摩擦によって巻取軸３の外周にベルト２を巻き取ることができるように構成している。なお、巻取軸３の外周は略円筒形状になるように、一対の棒体３Ａ，３Ｂの一方の面に膨らみを形成してあることが好ましい。
【００２６】
前記フレーム４は前記固定軸４Ａとほぼ平行になるように前記巻取軸３を回動自在に支持する略円形の開口部からなる軸受部４Ｂと、前記係合片９Ｂを摺動可能に支持する一対のスリット４Ｃを形成している。
【００２７】
図３，図４に示すように、前記第１のラチェット機構５は前記歯車９Ａとこの歯車９Ａに係合することにより逆転防止爪となる係合片９Ｂとからなり、係合片９Ｂはバネ４Ｄを用いて巻取軸３の中心方向に付勢されており、この係合片９Ｂが歯車９Ａの略三角形の歯に当接することにより、歯車９Ａの回転方向を巻き取り方向Ｒ（図示右回り方向）に規制可能に構成されている。
【００２８】
前記歯車９Ａの歯の形状はその突出部分の形状が略鋸刃のような直角三角形を形成するような形状であるから、巻取軸３を巻き取り方向Ｒに回転させるときには、歯に形成された傾斜面９Ｇによって係合片５Ｂが付勢力に逆らって後退させられることにより回動可能であるが、巻き取り方向Ｒの逆方向には歯面９Ｈと係合片９Ｂの当接部に傾斜がないために係合片９Ｂが後退させられることがなく、強力な回り止めをすることができるように構成されている。
【００２９】
しかしながら、この歯車９Ａの歯の形状を逆方向において当接する歯面９Ｈにも幾らか傾斜角を形成する山形の形状として、逆回転の規制力に上限を設けて、回転規制機構５にトルクリミット機構を形成してもよい。
【００３０】
図２に示すように、揺動レバー６はその基端部において巻取軸３を軸受けすると共に開口部を備えるように略Ｕ字状に形成された第１軸受６Ａと、この第１軸受６Ａの開口部を塞ぐ抜け止め状態および巻取軸３から離れた解放状態に切り替えられる略円形の第２軸受６Ｂとを備えることにより、前記解放状態において巻取軸３に着脱可能に形成されている。また、第２軸受６Ｂは揺動レバー本体６Ｃに対して巻取軸３の長手方向の両側に、変位可能に形成されたバネ板６Ｄの変位部に開設されており、揺動レバー６の遊端部には把手６Ｅを備える。
【００３１】
したがって、前記第１軸受６Ａ内に巻取軸３を係合させて第２軸受６Ｂと重ねた抜け止め状態では、揺動レバー６は両軸受６Ａ，６Ｂを中心に揺動自在であり、ベルト２の締め付け後に揺動レバー６を巻取軸３から取り外すことにより、ラッシング装置１の締め付け状態が保たれるので、前記第１の回転規制機構５による規制を解除しない限り締め付け状態を保つことができる。
【００３２】
また、前記第２のラチェット機構７は前記歯車９Ａと係合片９Ｃとからなり、係合片９Ｃはバネ６Ｆ（図１，図３，図４）を用いて巻取軸３の中心方向に付勢されており、この係合片９Ｃが歯車９Ａの略三角形の歯に当接することにより、揺動レバー６の揺動による巻き取り方向Ｒの回転力のみを歯車９Ａに伝達可能に構成されている。また、６Ｇは係合片９Ｃを摺動自在に支持するスリットである。
【００３３】
図５にも示すように、前記トルク設定部８は、前記係合片９Ｃの裏面側に取り付けられることにより第２の回転規制機構７にかかる回転力によって生じる歪みを測定するたとえば圧電素子からなる歪み検知手段８Ａと、歪の測定値から所定の回転力が加えられたことを電気的に検知する検知回路８Ｂとを備えるものである。また、トルク設定部８は回転力が所定値以上になった場合に音による通知を行う発音素子を有する発音通知手段８Ｃと、回転力が所定値以上になった場合に表示による通知を行う液晶マトリックスパネルなどの表示素子を有する表示通知手段８Ｄと、回転力の設定キー８Ｅとを備える。
【００３４】
前記検知回路８Ｂは、前記設定キー８Ｅを用いてベルト２に加える張力に変換された回転力の設定値を入力可能に構成され、歪検知手段８Ａによって測定された係合片９Ｃに生じる歪を用いて巻取軸３に加える回転力を求め、これをベルト２にかける張力（たとえば「８０ｋＮ」など）に変換して表示通知手段８Ｄに表示し、前記回転力の測定値が設定値以上である時には表示通知手段８Ｄに例えば「上限」などを表示すると共に、発音通知手段８Ｃを用いて警告音を発生させて必要以上に強い力を加えられないように構成している。
【００３５】
前記歯車９Ａは軸受部４Ｂに回動自在に支持される巻取軸３を構成する棒体３Ａ，３Ｂのフレーム４から突出する両端部に取り付けられるものであり、かつ、前記棒体３Ａ，３Ｂを所定の隙間Ｓを空けた状態で支持する開口部９Ｄ，９Ｅを有する。また、９Ｆは巻取軸３の端部に形成された溝３Ｄに嵌合するように取付けられて歯車９Ａを抜け止め保持する抜け止めピンである。
【００３６】
前記構成のラッシング装置１は、その揺動レバー６を、図３に示す状態と図４に示す状態に切り替えるように揺動させるときに、巻取軸３を巻き取り方向Ｒに回転させることができ、この巻取軸３にベルト２を巻き取ることができる。また、揺動レバー６を巻き取り方向Ｒに回転させるときに歯面９Ｈが係合片９Ｃに当接し、この係合片９Ｃに歪が生じるので、トルク設定部８はこの歪の大きさを歪検知手段８Ａによって検知して揺動レバー６によって加える回転力を測定し、ベルト２に加えている張力に変換して表示通知部８Ｄに表示させる。
【００３７】
ベルト２による締め付けが十分に行われると、揺動レバー６によって加えられる回転力は設定値に達し、前記検知回路８Ｂが歪検知手段８Ａの測定値から回転力が設定値以上であることを検知して、表示通知部８Ｄに「上限」と表示させると共に、発音検知手段８Ｃによって警告音を発生させる。したがって、使用者は設定した回転力で締め付けを行ってベルト２に加える張力が必要十分な強さであることを確認することができる。
【００３８】
なお、上述の実施形態は本発明を実施する一例にすぎず、第２の回転規制機構５にかかる回転力を検知するセンサおよび回転力の設定回路などは種々の構成が考えられることは言うまでもない。
【００３９】
図６に示すように、上述のように構成されたラッシング装置１は、複数のベルト２を用いてトラック１１の荷台１２に積荷（ラッシング対象物となる物品）１３を固定する場合、各ベルト２に取付けたラッシング装置１の揺動レバー６を共有させて、差し替えて用いることにより、一定トルクの締め付けを行い、一定の張力でラッシング対象物１３を締め付けることができる。すなわち、一つのラッシング装置１による締め付けが完了すると、揺動レバー６を巻取軸３から取り外して、次のベルト２に取付けられたラッシング装置１の巻取軸３に嵌合させることにより揺動レバー６で締め付けを行なうことができるが、このようにして複数のベルト２にかける張力を一定にしてラッシング対象物１３を締め付けることにより、ラッシング対象物１３の荷崩れを防ぐと共に、締めすぎによる破損や変形を防止することも可能である。
【００４０】
なお、図示は省略するが揺動レバー６から巻取軸３までの間に、回転トルクの上限を定めて所定以上のトルクをかけると空転する公知のトルクリミット機構を内蔵することにより、このトルクリミット機構を介してトルクを伝達するようにしてもよい。この場合、必要以上の回転力をかけることができないので、ベルト２にかける張力が大きすぎて積荷１３を破損するような事態を未然に防ぐことができる。
【００４１】
加えて、ラッシング装置１から揺動レバー６を取り外すことにより、ベルト２の張力を保つために必要最小限の部分だけをベルト２に連結させた状態で残して、次のベルト２を締め付けることができるので、簡略化と軽量化を達成して、重いラッシング装置が揺れることによって積荷を傷つけることを防止し、揺れによってベルト２にかかる張力が変動することも、たるみが発生することも防止できる。さらに、前記係合片９Ｂを強く操作しない限りベルト２に掛かった張力を緩めることができないので、いたずら防止にもなる。
【００４２】
しかしながら、本発明のラッシング装置１は揺動レバー６が巻取軸３から着脱自在であることに限定されるものではないことはいうまでもない。
【００４３】
なお、上述の実施形態では回転規制機構５、７の一例として歯車９Ａとこれに当接する係合片９Ｂ，９Ｃによる回転規制機構を用いる例を示しているが、ホイール内にラチェット機構を内蔵したフリーホイールや、外輪と内輪の間にだるま形の輪留めが組み込まれた構造を持つスプラグ式のワンウェイクラッチや、外輪、内輪、ローラ、スプリングで構成され、外輪の内側または内輪の外側にカム面を持ったポケットが設けられるカム式のワンウェイクラッチなどを用いることにより、巻取り方向の回転にかかる抵抗を小さくするようにしてもよい。
【００４４】
上述の第１実施形態におけるラッシング装置１では、第２の回転規制機構５を介して巻取軸３に供給される回転力の強さの検知を、電気的なセンサとしての歪み検知手段と、電気的な信号処理を行なう検知回路によって行なっているが、本発明はこの点に限定されるものではない。
【００４５】
図７，図８は揺動レバー６の構成が幾らか異なる第２実施形態のラッシング装置２０の構成を示す側面図である。図７、図８に示すラッシング装置２０において、図１〜図６と同じ符号を付した部材は同一または同等の部材であるから、その重複説明を省略する。
【００４６】
本実施形態のラッシング装置２０においては、逆転防止爪となる係止片９Ｃはある程度弾性変形可能な金属などの弾性体を用いて形成されており、前記スリット６Ｇには前記歯車９Ａと嵌合する部分において係止片９Ｃが撓むことができる程度の傾斜部６Ｈを形成してある。さらに、この係止片９Ｃの係止端部の外側には撓み量指示針２１が取り付けられており、揺動レバー６の側面には撓み量指示針２１が示す撓み量から巻取軸３に加えている回転力の表示として目視確認するための目盛り２２が形成されている。
【００４７】
したがって、図８に示すように、本実施形態のラッシング装置２０を用いてベルト２を巻き取る場合には、第２の回転規制機構７を介して巻取軸３に加えられる回転力の大きさに応じて係止片９Ｃがスリット６Ｇの傾斜部６Ｈに沿って撓み、前記撓み量指示針２１が図示時計回りに傾斜することにより、巻取軸３に加えた回転力の大きさを目視確認することができるように構成している。
【００４８】
したがって、使用者はこの撓み量指示針２１と目盛り２２の表示を目視確認することにより、所定の大きさの回転力を加えた状態であるかどうかを容易に確認でき、ベルト２に必要十分な設定通りの張力をかけることができる。すなわち、回転力の上限を示す目盛り２２がトルク設定部として機能する。
【００４９】
なお、上述の実施形態は単なる一例に過ぎず、第２の回転規制機構７と揺動レバー６の間に回転力によって撓む適宜の弾性体を設けて、その撓み量を用いて回転力を表示させる任意の形態のトルク表示部を形成してもよいことはいうまでもない。
【００５０】
さらに、所定以上の回転力を加えようとするときに、前記係止片９Ｃが撓むことによって、歯車９Ａの歯９Ｈに当接する係止片９Ｃが前記バネ６Ｆの付勢力に逆らって巻取軸３から遠ざかる方向に移動可能に構成して、これによってトルクリミット機構を設けてもよい。この場合、揺動レバー６を用いて巻取軸３に必要以上に強い回転力を加えることができなくなるので、それだけ確実にベルト２に加える張力の上限を定めることができる。
【００５１】
上述の各実施形態において、索体の一例としてベルト２を用いる例を説明しているが、本発明はこの点に限定されるものではなく、索体としてワイヤ、ロープ、チェーンなどの種々の形態が考えられることはいうまでもない。
【符号の説明】
【００５２】
１，２０  ラッシング装置
２  索体（ベルト）
３  巻取軸
５  第１の回転規制機構
６  揺動レバー
７  第２の回転規制機構
８  トルク設定部
８Ｃ  発音通知手段
８Ｄ  表示通知手段
２２  トルク設定部
Ｒ  巻き取り方向
【図１】
2017026120.tif 000003
【図２】
2017026120.tif 000004
【図３】
2017026120.tif 000005
【図４】
2017026120.tif 000006
【図５】
2017026120.tif 000007
【図６】
2017026120.tif 000008
【図７】
2017026120.tif 000009
【図８】
2017026120.tif 000010